(57)【要約】【課題】電気光学パネルの面内での温度ばらつきを緩和することのできる電気光学装置、および当該電気光学装置を備えた電子機器を提供する。【解決手段】電気光学装置１００では、一方面４０ｅ側から表示光を出射する電気光学パネル４０の他方面４０ｆ側には、放熱グリス層７０、第１熱伝導部材７１および第２熱伝導部材７２が順に重ねて配置されている。電気光学パネル４０において、第１基板５１および第２基板５２は石英基板である。第１熱伝導部材７１はアルミニウム合金からなり、電気光学パネル４０より熱伝導性が高い。第２熱伝導部材７２は、鉄合金からなり、第１熱伝導部材７１より熱伝導性が低くて、電気光学パネル４０より熱伝導性が高い。【選択図】図４
2015197576.tif 000002
【特許請求の範囲】
【請求項１】
一方面側から表示光を出射する電気光学パネルと、
前記電気光学パネルより熱伝導性が高く、前記電気光学パネルの他方面側に重なる第１
熱伝導部材と、
該第１熱伝導部材より熱伝導性が低くて、前記電気光学パネルより熱伝導性が高く、前
記第１熱伝導部材に対して前記電気光学パネルとは反対側に積層された第２熱伝導部材と
、
を有することを特徴とする電気光学装置。
【請求項２】
前記電気光学パネルの他方面側は、石英基板またはガラス基板からなることを特徴とす
る請求項１に記載の電気光学装置。
【請求項３】
前記電気光学パネルの他方面側と前記第１熱伝導部材との間に放熱グリス層を有するこ
とを特徴とする請求項１または２に記載の電気光学装置。
【請求項４】
前記第２熱伝導部材より熱伝導性が高く、前記第２熱伝導部材に対して前記第１熱伝導
部材とは反対側に積層された第３熱伝導部材を有することを特徴とする請求項１乃至３の
何れか一項に記載の電気光学装置。
【請求項５】
前記第２熱伝導部材より熱伝導性が低く、前記第２熱伝導部材に対して前記第１熱伝導
部材とは反対側に積層された第３熱伝導部材を有することを特徴とする請求項１乃至３の
何れか一項に記載の電気光学装置。
【請求項６】
前記電気光学パネルは、前記電気光学パネルの他方面側を構成する第１基板と、該第１
基板にシール材によって貼り合わされた第２基板と、前記第１基板と前記第２基板との間
のうち、前記シール材によって囲まれた空間内に設けられた液晶層と、を有していること
を特徴とする請求項１乃至５の何れか一項に記載の電気光学装置。
【請求項７】
前記電気光学パネルは、３Ｄ表示用の画像を生成することを特徴とする請求項６に記載
の電気光学装置。
【請求項８】
前記電気光学パネルは、毎秒４８０フレームの画像を生成することを特徴とする請求項
６に記載の電気光学装置。
【請求項９】
前記電気光学パネルは、静止画像を生成することを特徴とする請求項６に記載の電気光
学装置。
【請求項１０】
請求項１乃至９の何れか一項に記載の電気光学装置を備えた電子機器であって、
前記電気光学パネルに供給される光を出射する光源部と、
前記電気光学パネルによって変調された光を投射する投射光学系と、
を有していることを特徴とする電子機器。
【発明の詳細な説明】
【技術分野】
【０００１】
本発明は、電気光学パネルに放熱層が設けられた電気光学装置、および該電気光学装置
を備えた電子機器に関するものである。
【背景技術】
【０００２】
液晶パネル等の電気光学パネルを投射型表示装置等に用いると、電気光学パネルの温度
が上昇する。このため、電気光学パネルの背面側にヒートシンクを重ねた構造が提案され
ている（特許文献１参照）。
【先行技術文献】
【特許文献】
【０００３】
【特許文献１】特開２００９−２１６８５５号公報
【発明の概要】
【発明が解決しようとする課題】
【０００４】
投射型表示装置等では、電気光学パネルの中央付近に当たる光線が強い一方、周辺部は
周囲への放熱がしやすいため、電気光学パネルの中央部が比較的高温になる等、電気光学
パネルの面内に大きな温度分布が発生しやすい。そのため、電気光学パネルの熱膨張量が
面内で相違し、電気光学パネルに大きな応力が加わりやすい。その結果、電気光学パネル
が変形して液晶層の位相差がばらつく。かかる位相差のばらつきは、黒表示時にムラを発
生させ、表示品位が低下する原因となるため、好ましくない。
【０００５】
また、特許文献１に記載の構成のように、電気光学パネルの背面側にアルミニウム合金
等からなるヒートシンクを重ねると、電気光学パネルから熱を取り去る効果を高めること
ができる。しかしながら、図５（ｂ）に示すように、電気光学パネル４０に対して、放熱
グリス層７０を介してアルミニウム合金等からなるヒートシンク７９を重ねると、等温線
を点線で示し、熱の放熱を矢印Ｓ１１、Ｓ１２で示すように、ヒートシンク７９では、電
気光学パネルの面内方向よりも厚さ方向への熱拡散が強い。また、電気光学パネル４０で
は、中央部４０ｈから周辺部に熱が伝わるが、電気光学パネル４０では、熱伝導性が低い
。このため、電気光学パネルの面内の温度ばらつきが緩和されずに残ってしまう。
【０００６】
以上の問題点に鑑みて、本発明の課題は、電気光学パネルの面内での温度ばらつきを緩
和することのできる電気光学装置、および当該電気光学装置を備えた電子機器を提供する
ことにある。
【課題を解決するための手段】
【０００７】
上記課題を解決するために、本発明に係る電気光学装置は、一方面側から表示光を出射
する電気光学パネルと、前記電気光学パネルより熱伝導性が高く、前記電気光学パネルの
他方面側に重なる第１熱伝導部材と、該第１熱伝導部材より熱伝導性が低くて、前記電気
光学パネルより熱伝導性が高く、前記第１熱伝導部材に対して前記電気光学パネルとは反
対側で重なる第２熱伝導部材と、を有することを特徴とする。
【０００８】
本発明では、電気光学パネルの熱を第１熱伝導部材に逃がすため、電気光学パネルの温
度が過度に上昇することを防止することができる。ここで、熱伝導性が高い第１熱伝導部
材では、面内方向より厚さ方向への熱拡散が強いが、第１熱伝導部材に対して電気光学パ
ネルとは反対側には、第１熱伝導部材より熱伝導性が低い第２熱伝導部材が設けられてい
るため、第１熱伝導部材では厚さ方向への熱拡散が抑えられる結果、面内方向への熱拡散
が強まる。従って、電気光学パネルの面内での温度ばらつきを緩和することができる。そ
れ故、電気光学パネルの熱膨張量が面内でばらつきにくいので、電気光学パネルに大きな
応力が加わりにくい。よって、電気光学パネルの変形を抑制することができるので、液晶
層の位相差等のばらつきに起因する表示品位の低下を回避することができる。
【０００９】
本発明は、前記電気光学パネルの他方面側が石英基板またはガラス基板からなる場合に
適用すると効果的である。電気光学パネルの他方面側が石英基板またはガラス基板からな
る場合、熱伝導性が低いため、電気光学パネルの面内での温度ばらつきが発生しやすいが
、本発明によれば、電気光学パネルの他方面側が石英基板またはガラス基板からなる場合
でも、電気光学パネルの面内での温度ばらつきを緩和することができる。
【００１０】
本発明において、前記電気光学パネルの他方面側と前記第１熱伝導部材との間に放熱グ
リス層を有することが好ましい。かかる構成によれば、電気光学パネルから第１熱伝導部
材への熱の伝達がスムーズである。
【００１１】
本発明において、前記第２熱伝導部材より熱伝導性が高く、前記第２熱伝導部材に対し
て前記第１熱伝導部材とは反対側に積層された第３熱伝導部材を有することが好ましい。
かかる構成によれば、第２熱伝導部材の熱を、第３熱伝導部材を介してスムーズに逃がす
ことができる。それ故、電気光学パネルの過度な温度上昇を抑制することができる。
【００１２】
本発明において、前記第２熱伝導部材より熱伝導性が低く、前記第２熱伝導部材に対し
て前記第１熱伝導部材とは反対側に積層された第３熱伝導部材を有する構成を採用しても
よい。かかる構成によれば、第２熱伝導部材および第３熱伝導部材によって、第１熱伝導
部材での厚さ方向への熱拡散がより抑えられる結果、面内方向への熱拡散が強まる。従っ
て、電気光学パネルの面内での温度ばらつきを緩和することができる。
【００１３】
本発明において、前記電気光学パネルは液晶パネルである。この場合、前記電気光学パ
ネルは、前記電気光学パネルの他方面側を構成する第１基板と、該第１基板にシール材に
よって貼り合わされた第２基板と、前記第１基板と前記第２基板との間のうち、前記シー
ル材によって囲まれた空間内に設けられた液晶層と、を有している。
【００１４】
本発明は、前記電気光学パネルが３Ｄ表示用の画像を生成する場合に適用することが好
ましい。本発明では、第２熱伝導部材によって、第１熱伝導部材での厚さ方向への熱拡散
がより抑えられる結果、電気光学パネルの温度および液晶層の温度を適正に高くすること
ができる。このため、液晶層に用いた液晶分子の応答性を３Ｄ表示に対応できるレベルま
で高めることができる。
【００１５】
本発明は、前記電気光学パネルは、毎秒４８０フレームの画像を生成する場合に適用す
ることが好ましい。本発明では、第２熱伝導部材によって、第１熱伝導部材での厚さ方向
への熱拡散がより抑えられる結果、電気光学パネルの温度および液晶層の温度を適正に高
くすることができる。このため、液晶層に用いた液晶分子の応答性を毎秒４８０フレーム
（８倍速）での表示に対応できるレベルまで高めることができる。
【００１６】
本発明は、前記電気光学パネルが静止画像を生成する場合に適用してもよい。
【００１７】
本発明に係る電気光学装置は各種電子機器に用いることができる。また、電子機器とし
て投射型表示装置を構成した場合、電子機器は、前記電気光学パネルに供給される光を出
射する光源部と、前記電気光学パネルによって変調された光を投射する投射光学系と、を
有している。投射型表示装置の場合、電気光学パネルに強い光が供給される結果、電気光
学装置の温度上昇が大きいが、かかる温度変化が発生しても、本発明によれば、電気光学
パネルに応力が加わりにくい。
【図面の簡単な説明】
【００１８】
【図１】本発明の実施の形態１に係る電気光学装置に用いた電気光学パネル等の一形態を示す説明図である。
【図２】本発明の実施の形態１に係る電気光学装置の一形態を示す斜視図である。
【図３】本発明の実施の形態１に係る電気光学装置の一形態を示す分解斜視図である。
【図４】本発明の実施の形態１に係る電気光学装置の一形態を示す断面図である。
【図５】電気光学装置における放熱の様子を模式的に示す説明図である。
【図６】本発明の実施の形態２に係る電気光学装置の一形態を示す断面図である。
【図７】本発明の実施の形態３に係る電気光学装置の一形態を示す断面図である。
【図８】本発明を適用した投射型表示装置（電子機器）の一例の概略構成図である。
【発明を実施するための形態】
【００１９】
図面を参照して、本発明の実施の形態を説明する。なお、以下の説明では、本発明を適
用した電気光学装置が、電気光学パネルとして反射型の液晶パネルを有している場合を中
心に説明する。また、以下の説明で参照する図においては、各層や各部材を図面上で認識
可能な程度の大きさとするため、各層や各部材毎に縮尺を異ならしめてある。また、以下
の説明では、電気光学パネル４０の面内方向で互いに交差する方向をＸ方向およびＹ方向
とし、電気光学パネル４０に対する法線方向をＺ方向とする。また、Ｚ方向において、光
出射側（表面側）を一方側Ｚ１とし、光出射側とは反対側（裏面側）を他方側Ｚ２として
ある。
【００２０】
［実施の形態１］
（電気光学パネル４０の構成）
図１は、本発明の実施の形態１に係る電気光学装置１００に用いた電気光学パネル４０
等の一形態を示す説明図であり、図１（ａ）、（ｂ）は各々、電気光学パネル４０を各構
成要素とともに第２基板（対向基板）の側から見た平面図、およびそのＨ−Ｈ′断面図で
ある。なお。図１（ａ）では防塵ガラス５７の図示を省略してある。
【００２１】
図１に示すように、本形態の電気光学装置１００において、電気光学パネル４０は、第
１基板５１（素子基板）と第２基板５２（対向基板）とが所定の隙間を介してシール材４
０７によって貼り合わされている。第１基板５１および第２基板５２は石英基板やガラス
基板等の透光性基板である。本形態において、第１基板５１および第２基板５２には石英
基板が用いられている。本形態において、電気光学パネル４０は液晶パネルであり、第１
基板５１と第２基板５２との間においてシール材４０７によって囲まれた空間内に電気光
学層４５０としての液晶層が保持されている。シール材４０７は、第２基板５２の外縁に
沿うように枠状に設けられている。シール材４０７は、光硬化性を備えた接着剤、熱硬化
性の接着剤、あるいは光硬化性および熱硬化性の双方を備えた接着剤であり、両基板間の
距離を所定値とするためのグラスファイバー、あるいはガラスビーズ等のギャップ材が配
合されている。
【００２２】
本形態において、第１基板５１は四角形であり、４つの辺の各々に端面５１１、５１２
、５１３、５１４を備えている。第２基板５２も、第１基板５１と同様、四角形であり、
４つの辺の各々に端面５２１、５２２、５２３、５２４を備えている。第１基板５１は第
２基板５２よりサイズが大きく、第１基板５１の４つの端面５１１、５１２、５１３、５
１４は各々、第２基板５２の端面５２１、５２２、５２３、５２４より外側に位置する。
このため、本形態の電気光学パネル４０の端面は、第１基板５１の端面５１１、５１２、
５１３、５１４によって構成されている。
【００２３】
電気光学パネル４０の略中央には、変調光を出射する表示領域４０ａが四角形の領域と
して設けられている。かかる形状に対応して、シール材４０７も略四角形に設けられてい
る。電気光学パネル４０では、表示領域４０ａの端部と電気光学パネル４０の端面（第１
基板５１の端面５１１、５１２、５１３、５１４）との間には、四角枠状の周辺領域４０
ｃが設けられている。
【００２４】
第１基板５１は、端面５１４が位置する側の端部（Ｙ軸方向の一方側Ｙ１の端部）が他
の端部より第２基板５２の端面５２４から張り出しており、かかる張り出し部分５１９に
は、端面５１４に沿ってデータ線駆動回路４０１および複数の端子４０２が形成されてい
る。また、第１基板５１には、端面５１１、５１２に沿って走査線駆動回路４０４が形成
されている。端子４０２には、フレキシブル配線基板４０ｉが接続されており、第１基板
５１には、フレキシブル配線基板４０ｉを介して各種電位や各種信号が入力される。
【００２５】
第１基板５１の第１面５１ａおよび第２面５１ｂのうち、第２基板５２と対向する第１
面５１ａには、表示領域４０ａに、画素電極４０５ａおよび画素電極４０５ａに対応する
画素トランジスター（スイッチング素子／図示せず）がマトリクス状に形成されており、
かかる画素電極４０５ａの上層側には配向膜４１６が形成されている。また、第１基板５
１の第１面５１ａにおいて、周辺領域４０ｃのうち、シール材４０７より内側の領域には
、画素電極４０５ａと同時形成されたダミー画素電極４０５ｂが形成されている。
【００２６】
第２基板５２の第１面５２ａおよび第２面５２ｂのうち、第１基板５１と対向する第１
面５２ａには透光性の共通電極４２１が形成されており、共通電極４２１の上層には配向
膜４２６が形成されている。配向膜４１６、４２６は、ポリイミドや無機配向膜からなる
。本形態において、配向膜４１６、４２６は、例えば、ＳｉＯX（ｘ＜２）、ＳｉＯ2、Ｔ
ｉＯ2、ＭｇＯ、Ａｌ2Ｏ3、Ｉｎ2Ｏ3、Ｓｂ2Ｏ3、Ｔａ2Ｏ5等の斜方蒸着膜（無機配向膜
）からなり、電気光学層４５０に用いた誘電異方性が負のネマチック液晶化合物を傾斜垂
直配向させる。従って、電気光学パネル４０は、ノーマリブラックのＶＡモードとして動
作する。
【００２７】
共通電極４２１は、第２基板５２の略全面あるいは複数の帯状電極として複数の画素に
跨って形成されており、本形態において、共通電極４２１は、第２基板５２の略全面に形
成されている。第２基板５２の第１面５２ａには、共通電極４２１の下層側に遮光層４０
８が形成されている。遮光層４０８は、表示領域４０ａの外周縁に沿って延在する額縁状
に形成されており、かかる遮光層４０８の内縁によって表示領域４０ａが規定されている
。遮光層４０８の外周縁は、シール材４０７の内周縁との間に隙間を隔てた位置にあり、
遮光層４０８とシール材４０７とは被さっていない。第２基板５２において、隣り合う画
素電極４０５ａにより挟まれた領域と重なる領域等には、遮光層４０８と同時形成された
遮光層がブラックマトリクスあるいはブラックストライプとして形成されることもある。
【００２８】
第１基板５１には、シール材４０７より外側において第２基板５２の角部分と重なる領
域に、第１基板５１と第２基板５２との間で電気的導通を行うための基板間導通用電極４
０９が形成されている。基板間導通用電極４０９と第２基板５２との間には、導電粒子を
含んだ基板間導通材４０９ａが配置されており、第２基板５２の共通電極４２１は、基板
間導通材４０９ａおよび基板間導通用電極４０９を介して、第１基板５１側に電気的に接
続されている。このため、共通電極４２１は、第１基板５１の側から共通電位が印加され
ている。シール材４０７は、略同一の幅寸法をもって第２基板５２の外周縁に沿って設け
られている。但し、シール材４０７は、第２基板５２の角部分と重なる領域では基板間導
通用電極４０９を避けて内側を通るように設けられている。
【００２９】
（反射型液晶パネルとしての構成）
本形態において、電気光学パネル４０は、反射型液晶パネルである。このため、共通電
極４２１は、ＩＴＯ（Indium Tin Oxide）膜やＩＺＯ（Indium Zinc Oxide）膜等の透光
性導電膜により形成され、画素電極４０５ａは、アルミニウム膜等の反射性導電膜により
形成されている。かかる反射型液晶パネル（電気光学パネル４０）では、矢印Ｌ１１、Ｌ
１２で示すように、第２基板５２の側から入射した光が第１基板５１の側で反射して電気
光学パネル４０の一方面４０ｅ側から出射される間に変調されて画像を表示する。このた
め、電気光学パネル４０では、第１基板５１および第２基板５２のいずれにも、石英基板
等の透光性基板を用いることができる。また、第２基板５２に石英基板等の透光性基板を
用い、第１基板５１にシリコン基板等の半導体基板を用いることができる。本形態では、
第１基板５１および第２基板５２のいずれにも、石英基板が用いられている。
【００３０】
このように構成した電気光学パネル４０（反射型液晶パネル）では、第２基板５２の第
２面５２ｂに透光性の防塵ガラス５７の第１面５７ａが貼付される。従って、電気光学パ
ネル４０の一方面４０ｅ（表面）は、防塵ガラス５７の第２面５７ｂによって構成され、
電気光学パネル４０の他方面４０ｆ（裏面）は、第１基板５１の第２面５１ｂによって構
成される。
【００３１】
また、本形態の電気光学装置１００では、電気光学パネル４０の他方面４０ｆに、後述
する放熱グリス層７０、第１熱伝導部材７１および第２熱伝導部材７２がこの順に積層さ
れている。
【００３２】
（電気光学装置１００の全体構成）
図２は、本発明の実施の形態１に係る電気光学装置１００の一形態を示す斜視図である
。図３は、本発明の実施の形態１に係る電気光学装置１００の一形態を示す分解斜視図で
ある。図４は、本発明の実施の形態１に係る電気光学装置１００の一形態を示す断面図で
ある。
【００３３】
図２および図３に示すように、電気光学パネル４０は、補強等を目的に、ホルダー３に
支持された電気光学装置１００（電気光学モジュール）として電子機器に搭載される。従
って、本形態の電気光学装置１００は、電気光学パネル４０と、電気光学パネル４０が内
側に保持されたホルダー３と、ホルダー３の光出射側に取り付けられた見切り部材８とを
有している。
【００３４】
ホルダー３は、電気光学パネル４０の周りを囲む枠部３１と、光出射側に設けられた端
板部３２を有しており、端板部３２には開口部３２０が形成されている。本形態では、電
気光学パネル４０が矩形であるため、枠部３１および端板部３２は矩形枠状に形成されて
いる。ホルダー３では、枠部３１および端板部３２によって区画された空間は、電気光学
パネル４０が収容されるパネル収容部３０になっている。従って、電気光学パネル４０を
ホルダー３の内側（パネル収容部３０）に収容した後、枠部３１の内壁と電気光学パネル
４０との間等を接着すれば、電気光学パネル４０をホルダー３に固定することができる。
この状態で、端板部３２の開口部３２０の内側には、電気光学パネル４０の第２基板５２
が位置する。
【００３５】
また、電気光学パネル４０をホルダー３の内側に固定した状態で、光出射側とは反対側
では、枠部３１の内側で電気光学パネル４０の他方面４０ｆが開放状態にあり、電気光学
パネル４０の他方面４０ｆは露出した状態にある。なお、枠部３１のうち、フレキシブル
配線基板４０ｉが設けられている側には、基板引き出し口３９が形成されている。
【００３６】
ホルダー３は、樹脂製、あるいは第１基板５１と同等の熱膨張係数を有する金属製であ
る。本形態において、第１基板５１は、石英基板からなるため、ホルダー３を金属製とす
る場合、ホルダー３は、少なくともニッケルおよび鉄を含む合金からなる。例えば、ホル
ダー３は、いわゆるインバー合金（例えば、３６Ｎｉ−Ｆｅ合金、４２Ｎｉ−Ｆｅ合金等
）や、３２Ｎｉ−５Ｃｏ−Ｆｅ合金、２９Ｎｉ−１７Ｃｏ−Ｆｅ合金等からなる。これら
の合金のうち、例えば、３６Ｎｉ−Ｆｅ合金の線膨張係数は、約１．２×１０-6（／°Ｃ
）であり、３２Ｎｉ−５Ｃｏ−Ｆｅ合金の線膨張係数は、約０．１×１０-6（／°Ｃ）で
あり、第１基板５１（石英基板）の線膨張係数（約０．４８×１０-6（／°Ｃ））と同等
である。
【００３７】
見切り部材８は、ホルダー３の端板部３２に対して電気光学パネル４０とは反対側で重
なる遮光板部８１を有しており、遮光板部８１において、電気光学パネル４０の表示領域
４０ａと重なる領域には矩形の開口部８１０が形成されている。見切り部材８は、樹脂製
あるいは金属製である。見切り部材８において、遮光板部８１は、表示領域４０ａに対す
る見切りとして機能する。見切り部材８において、遮光板部８１の外周縁のうち、Ｘ方向
の両側に位置する縁からは、ホルダー３の枠部３１の外面３１０に重なる連結板部８５が
延在している。連結板部８５には係合穴８５０が形成されており、枠部３１の外面３１０
には、係合穴８５０に係合する係合凸部３１５が形成されている。従って、見切り部材８
は、連結板部８５を介してホルダー３に取り付けられている。
【００３８】
（熱伝導部材の構成）
本形態の電気光学装置１００において、電気光学パネル４０の他方面４０ｆ側には、電
気光学パネル４０（第１基板５１および第２基板５２）より熱伝導性が高い第１熱伝導部
材７１が重ねて配置されている。第１熱伝導部材７１は、アルミニウム、銅、銀、金等を
主成分とする金属からなり、本形態において、第１熱伝導部材７１は、厚さが数百μｍ〜
数ｍｍ厚さアルミニウム合金からなる。ここで、電気光学パネル４０の他方面４０ｆ側と
第１熱伝導部材７１との間には放熱グリス層７０が設けられている。
【００３９】
また、本形態の電気光学装置１００において、第１熱伝導部材７１に対して電気光学パ
ネル４０とは反対側には、第１熱伝導部材７１より熱伝導性が低くて、電気光学パネル４
０（第１基板５１および第２基板５２）より熱伝導性が高い第２熱伝導部材７２が重ねて
配置されている。第２熱伝導部材７２は、鉄、亜鉛、ニッケル等を主成分とする金属から
なり、本形態において、第２熱伝導部材７２は、厚さが数百μｍ〜数ｍｍ厚さ鉄合金から
なる。
【００４０】
ここで、第１熱伝導部材７１と第２熱伝導部材７２とは、接合あるいは接着等の方法に
よって積層されてヒートシンク７を構成している。ヒートシンク７は、ホルダー３と平面
サイズが同等であり、ホルダー３に接着等の方法で固定されている。この状態で、ヒート
シンク７は、電気光学パネル４０の他方面４０ｆ側（第１基板５１）の全面に重なってい
る。
【００４１】
（本形態の作用および主な効果）
図５は、電気光学装置における放熱の様子を模式的に示す説明図であり、図５（ａ）、
（ｂ）は、本発明を適用した電気光学装置１００における放熱の様子を示す説明図、およ
び参考例に係る電気光学装置における放熱の様子を示す説明図である。なお、図５（ａ）
では、等温線を点線で示し、熱の放熱を矢印Ｓ１、Ｓ２で示してある。
【００４２】
本形態の電気光学装置１００を、後述する投射型表示装置に搭載すると、電気光学パネ
ル４０の中央付近に当たる光線が強い一方、周辺部は周囲への放熱がしやすいため、図５
（ａ）に示すように、電気光学パネル４０の中央部４０ｈが比較的高温になる。
【００４３】
このため、、矢印Ｓ２で示すように、電気光学パネル４０では、中央部４０ｈから周辺
部に熱が伝わるが、電気光学パネル４０に用いた第１基板５１および第２基板５２は石英
基板であるため、シリコン基板等に比して、熱伝導性が低い。
【００４４】
ここで、電気光学パネル４０の他方面４０ｆ側には放熱グリス層７０を介して第１熱伝
導部材７１が重なっており、かかる第１熱伝導部材７１は、電気光学パネル４０より熱伝
導性が高い。従って、矢印Ｓ１で示すように、電気光学パネル４０の熱は、まず、放熱グ
リス層７０を介して第１熱伝導部材７１に伝わる。従って、電気光学パネル４０の温度が
過度に上昇することを防止することができる。本形態では、電気光学パネル４０と第１熱
伝導部材７１との間に放熱グリス層７０が設けられており、空気層が介在しないため、電
気光学パネル４０から第１熱伝導部材７１への熱の拡散がスムーズである。
【００４５】
また、熱伝導性が高い第１熱伝導部材７１では、面内方向より厚さ方向への熱拡散が強
いが、第１熱伝導部材７１に対して電気光学パネル４０とは反対側には、第１熱伝導部材
７１より熱伝導性が低い第２熱伝導部材７２が設けられている。このため、第１熱伝導部
材７１では厚さ方向への熱拡散が抑えられる結果、矢印Ｓ２で示すように、面内方向への
熱拡散が強まる。従って、図５（ｂ）に示す参考例に比して、電気光学パネル４０の面内
での温度ばらつきを緩和することができる。それ故、電気光学パネル４０の熱膨張量が面
内でばらつきにくいので、電気光学パネル４０に大きな応力が加わりにくい。よって、電
気光学パネル４０の変形を抑制することができるので、電気光学層４５０に用いた液晶層
の位相差等のばらつきに起因する表示品位の低下を回避することができる。
【００４６】
また、本形態では、第２熱伝導部材７２によって、第１熱伝導部材７１から外部への放
熱が抑制されるため、電気光学パネル４０の温度が適度な温度まで上昇するとともに、電
気光学パネル４０の面内での温度ばらつきが小さい。従って、電気光学パネル４０の全体
において、電気光学層４５０に用いた液晶層の温度を適度な温度まで上昇させることがで
きるので、液晶分子の応答性が高い。
【００４７】
従って、本形態の電気光学パネル４０は、左目用の画像と右目用の画像とを交互に高速
度で生成する必要のある３Ｄ表示用の画像を生成するのに適している。また、本形態の電
気光学パネル４０は、毎秒４８０フレーム以上の画像を生成する等、８倍速以上の駆動方
式で画像を表示するのに適している。また、本形態の電気光学パネル４０は、静止画像の
生成にも適している。
【００４８】
［実施の形態２］
図６は、本発明の実施の形態２に係る電気光学装置１００の一形態を示す断面図である
。なお、本形態の基本的な構成は、実施の形態１と同様であるため、共通する部分には同
一の符号を付してそれらの説明を省略する。
【００４９】
図６に示すように、本形態の電気光学装置１００においても、実施の形態１と同様、電
気光学パネル４０の他方面４０ｆ側には、電気光学パネル４０（第１基板５１および第２
基板５２）より熱伝導性が高い第１熱伝導部材７１が重ねて配置されている。第１熱伝導
部材７１は、アルミニウム、銅、銀、金等を主成分とする金属からなり、本形態において
、第１熱伝導部材７１は、厚さが数百μｍ〜数ｍｍ厚さアルミニウム合金からなる。ここ
で、電気光学パネル４０の他方面４０ｆ側と第１熱伝導部材７１との間には放熱グリス層
７０が設けられている。
【００５０】
また、第１熱伝導部材７１に対して電気光学パネル４０とは反対側には、第１熱伝導部
材７１より熱伝導性が低くて、電気光学パネル４０（第１基板５１および第２基板５２）
より熱伝導性が高い第２熱伝導部材７２が重ねて配置されている。第２熱伝導部材７２は
、鉄、亜鉛、ニッケル等を主成分とする金属からなり、本形態において、第２熱伝導部材
７２は、厚さが数百μｍ〜数ｍｍ厚さ鉄合金からなる。
【００５１】
さらに、本形態の電気光学装置１００において、第２熱伝導部材７２に対して第１熱伝
導部材７１とは反対側には、第２熱伝導部材７２より熱伝導性が高い第３熱伝導部材７３
が重ねて配置されている。第３熱伝導部材７３は、アルミニウム、銅、銀、金等を主成分
とする金属、高熱伝導セラミック、サファイヤ、水晶等からなり、本形態において、第３
熱伝導部材７３は、厚さが数百μｍ〜数ｍｍ厚さアルミニウム合金からなる。
【００５２】
ここで、第１熱伝導部材７１と第２熱伝導部材７２とは、接合あるいは接着等の方法に
よって積層され、第２熱伝導部材７２と第３熱伝導部材７３とは、接合あるいは接着等の
方法によって積層されている。従って、第１熱伝導部材７１、第２熱伝導部材７２および
第３熱伝導部材７３は、それらが積層されたヒートシンク７を構成している。ヒートシン
ク７は、ホルダー３と平面サイズが同等であり、ホルダー３に接着等の方法で固定されて
いる。この状態で、ヒートシンク７は、電気光学パネル４０の他方面４０ｆ側（第１基板
５１）の全面に重なっている。
【００５３】
このように構成した電気光学装置１００においても、実施の形態１と同様、第１熱伝導
部材７１に対して電気光学パネル４０とは反対側には、第１熱伝導部材７１より熱伝導性
が低い第２熱伝導部材７２が設けられている。このため、第１熱伝導部材７１では厚さ方
向への熱拡散が抑えられる結果、面内方向への熱拡散が強まるので、電気光学パネル４０
の面内での温度ばらつきを緩和することができる。また、第２熱伝導部材７２によって、
第１熱伝導部材７１から外部への放熱が抑制されるため、電気光学パネル４０の温度が適
度な温度まで上昇するとともに、電気光学パネル４０の面内での温度ばらつきが小さい等
、実施の形態１と同様な効果を奏する。
【００５４】
また、本形態では、第２熱伝導部材７２に対して第１熱伝導部材７１とは反対側で重な
る第３熱伝導部材７３は、第２熱伝導部材７２より熱伝導性が高い。従って、第２熱伝導
部材７２の熱を、第３熱伝導部材７３を介してスムーズに逃がすことができる。それ故、
電気光学パネル４０の過度な温度上昇を抑制することができる。
【００５５】
［実施の形態３］
図７は、本発明の実施の形態３に係る電気光学装置１００の一形態を示す断面図である
。なお、本形態の基本的な構成は、実施の形態１と同様であるため、共通する部分には同
一の符号を付してそれらの説明を省略する。
【００５６】
図７に示すように、本形態の電気光学装置１００においても、実施の形態１と同様、電
気光学パネル４０の他方面４０ｆ側には、電気光学パネル４０（第１基板５１および第２
基板５２）より熱伝導性が高い第１熱伝導部材７１が重ねて配置されている。第１熱伝導
部材７１は、アルミニウム、銅、銀、金等を主成分とする金属からなり、本形態において
、第１熱伝導部材７１は、厚さが数百μｍ〜数ｍｍ厚さアルミニウム合金からなる。ここ
で、電気光学パネル４０の他方面４０ｆ側と第１熱伝導部材７１との間には放熱グリス層
７０が設けられている。
【００５７】
また、第１熱伝導部材７１に対して電気光学パネル４０とは反対側には、第１熱伝導部
材７１より熱伝導性が低くて、電気光学パネル４０（第１基板５１および第２基板５２）
より熱伝導性が高い第２熱伝導部材７２が重ねて配置されている。第２熱伝導部材７２は
、鉄、亜鉛、ニッケル等を主成分とする金属からなり、本形態において、第２熱伝導部材
７２は、厚さが数百μｍ〜数ｍｍ厚さ鉄合金からなる。
【００５８】
さらに、本形態の電気光学装置１００において、第２熱伝導部材７２に対して第１熱伝
導部材７１とは反対側には、第２熱伝導部材７２より熱伝導性が低い第３熱伝導部材７４
が重ねて配置されている。第３熱伝導部材７４は、鉄、亜鉛、ニッケル等を主成分とする
金属や、高分子、ガラス、低熱伝導セラミックからなり、本形態において、第３熱伝導部
材７４は、厚さが数百μｍ〜数ｍｍ厚さガラスからなる。かかる第３熱伝導部材７４とし
ては、電気光学パネル４０（第１基板５１および第２基板５２）より熱伝導性が高い材質
のもの、あるいは、電気光学パネル４０（第１基板５１および第２基板５２）より熱伝導
性が低い材質のものを用いることができる。
【００５９】
ここで、第１熱伝導部材７１と第２熱伝導部材７２とは、接合あるいは接着等の方法に
よって積層され、第２熱伝導部材７２と第３熱伝導部材７４とは、接合あるいは接着等の
方法によって積層されている。従って、第１熱伝導部材７１、第２熱伝導部材７２および
第３熱伝導部材７４は、それらが積層されたヒートシンク７を構成している。ヒートシン
ク７は、ホルダー３と平面サイズが同等であり、ホルダー３に接着等の方法で固定されて
いる。この状態で、ヒートシンク７は、電気光学パネル４０の他方面４０ｆ側（第１基板
５１）の全面に重なっている。
【００６０】
このように構成した電気光学装置１００においても、実施の形態１と同様、第１熱伝導
部材７１に対して電気光学パネル４０とは反対側には、第１熱伝導部材７１より熱伝導性
が低い第２熱伝導部材７２が設けられている。このため、第１熱伝導部材７１では厚さ方
向への熱拡散が抑えられる結果、面内方向への熱拡散が強まるので、電気光学パネル４０
の面内での温度ばらつきを緩和することができる。また、第２熱伝導部材７２によって、
第１熱伝導部材７１から外部への放熱が抑制されるため、電気光学パネル４０の温度が適
度な温度まで上昇するとともに、電気光学パネル４０の面内での温度ばらつきが小さい等
、実施の形態１と同様な効果を奏する。
【００６１】
また、本形態では、第２熱伝導部材７２に対して第１熱伝導部材７１とは反対側で重な
る第３熱伝導部材７４は、第２熱伝導部材７２より熱伝導性が低い。従って、第２熱伝導
部材７２および第３熱伝導部材７４によって、第１熱伝導部材７１での厚さ方向への熱拡
散がより抑えられる結果、面内方向への熱拡散が強まる。従って、電気光学パネル４０の
面内での温度ばらつきを緩和することができる。また、第１熱伝導部材７１および第２熱
伝導部材７２から外部への放熱が抑制されるため、電気光学パネル４０の温度が、実施の
形態１より高い温度まで上昇するとともに、電気光学パネル４０の面内での温度ばらつき
が小さい。従って、電気光学パネル４０の全体において、電気光学層４５０に用いた液晶
層の温度を適度な温度まで上昇させることができるので、液晶分子の応答性が高い。それ
故、本形態の電気光学パネル４０は、左目用の画像と右目用の画像とを交互に高速度で生
成する必要のある３Ｄ表示用の画像を生成するのに適している。また、本形態の電気光学
パネル４０は、毎秒４８０フレーム以上の画像を生成する等、８倍速以上の駆動方式で画
像を表示するのに適している。また、本形態の電気光学パネル４０は、静止画像の生成に
も適している。
【００６２】
［電気光学装置の他の形態］
上記実施の形態では、電気光学パネル４０として反射型液晶パネルを例に挙げて説明し
たが、本発明はこれに限定されず、有機エレクトロルミネッセンス表示用パネル、プラズ
マディスプレイパネル、ＦＥＤ（Field Emission Display）パネル、ＳＥＤ（Surface-Co
nduction Electron-Emitter Display）パネル、ＬＥＤ（発光ダイオード）表示パネル、
電気泳動表示パネル等を用いた電気光学装置に本発明を適用してもよい。
【００６３】
［電子機器への搭載例］
（投射型表示装置の構成例）
図８は、本発明を適用した投射型表示装置（電子機器）の一例の概略構成図である。以
下の説明では、上記実施の形態に係る電気光学装置１００を３つ用い、３つの電気光学装
置１００の電気光学パネル４０を各々、赤色用液晶パネル１００Ｒ、緑色用液晶パネル１
００Ｇおよび青色用液晶パネル１００Ｂとして用いる。
【００６４】
図８に示す投射型表示装置１０００は、光源光を発生する光源部１０２１と、光源部１
０２１から出射された光源光を赤色光Ｒ、緑色光Ｇ、および青色光Ｂの３色の色光に分離
する色分離導光光学系１０２３と、色分離導光光学系１０２３から出射された各色の光源
光によって照明される光変調部１０２５とを有している。また、投射型表示装置１０００
は、光変調部１０２５から出射された各色の像光を合成するクロスダイクロイックプリズ
ム１０２７（合成光学系）と、クロスダイクロイックプリズム１０２７を経た像光をスク
リーン（不図示）に投射する投射光学系１０２９とを備えている。本形態において、光変
調部１０２５を構成する複数の電気光学装置１００（反射型液晶装置）、およびクロスダ
イクロイックプリズム１０２７（光合成光学系）は、光学ユニット１２００を構成してい
る。
【００６５】
かかる投射型表示装置１０００において、光源部１０２１は、光源１０２１ａと、一対
のフライアイ光学系１０２１ｄ、１０２１ｅと、偏光変換部材１０２１ｇと、重畳レンズ
１０２１ｉとを備えている。本形態においては、光源部１０２１は、放物面からなるリフ
レクタ１０２１ｆを備えており、平行光を出射する。フライアイ光学系１０２１ｄ、１０
２１ｅは、システム光軸と直交する面内にマトリクス状に配置された複数の要素レンズか
らなり、これらの要素レンズによって光源光を分割して個別に集光・発散させる。偏光変
換部材１０２１ｇは、フライアイ光学系１０２１ｅから出射した光源光を、例えば図面に
平行なｐ偏光成分のみに変換して光路下流側光学系に供給する。重畳レンズ１０２１ｉは
、偏光変換部材１０２１ｇを経た光源光を全体として適宜収束させることにより、光変調
部１０２５に設けた複数の電気光学装置１００を各々均一に重畳照明可能とする。
【００６６】
色分離導光光学系１０２３は、クロスダイクロイックミラー１０２３ａと、ダイクロイ
ックミラー１０２３ｂと、反射ミラー１０２３ｊ、１０２３ｋとを備える。色分離導光光
学系１０２３において、光源部１０２１からの略白色の光源光は、クロスダイクロイック
ミラー１０２３ａに入射する。クロスダイクロイックミラー１０２３ａを構成する一方の
第１ダイクロイックミラー１０３１ａで反射された赤色光Ｒは、反射ミラー１０２３ｊで
反射されダイクロイックミラー１０２３ｂを透過して、入射側偏光板１０３７ｒ、ｐ偏光
を透過させる一方、ｓ偏光を反射するワイヤーグリッド偏光板１０３２ｒ、および光学補
償板１０３９ｒを介して、ｐ偏光のまま、電気光学装置１００（赤色用液晶パネル１００
Ｒ）に入射する。
【００６７】
また、第１ダイクロイックミラー１０３１ａで反射された緑色光Ｇは、反射ミラー１０
２３ｊで反射され、その後、ダイクロイックミラー１０２３ｂでも反射されて、入射側偏
光板１０３７ｇ、ｐ偏光を透過させる一方、ｓ偏光を反射するワイヤーグリッド偏光板１
０３２ｇ、および光学補償板１０３９ｇを介して、ｐ偏光のまま、電気光学装置１００（
緑色用液晶パネル１００Ｇ）に入射する。
【００６８】
これに対して、クロスダイクロイックミラー１０２３ａを構成する他方の第２ダイクロ
イックミラー１０３１ｂで反射された青色光Ｂは、反射ミラー１０２３ｋで反射されて、
入射側偏光板１０３７ｂ、ｐ偏光を透過する一方、ｓ偏光を反射するワイヤーグリッド偏
光板１０３２ｂ、および光学補償板１０３９ｂを介して、ｐ偏光のまま、電気光学装置１
００（青色用液晶パネル１００Ｂ）に入射する。なお、光学補償板１０３９ｒ、１０３９
ｇ、１０３９ｂは、電気光学装置１００への入射光および出射光の偏光状態を調整するこ
とで、液晶層の特性を光学的に補償している。
【００６９】
このように構成した投射型表示装置１０００では、光学補償板１０３９ｒ、１０３９ｇ
、１０３９ｂを経て入射した３色の光は各々、各電気光学装置１００において変調される
。その際、電気光学装置１００から出射された変調光のうち、ｓ偏光の成分光は、ワイヤ
ーグリッド偏光板１０３２ｒ、１０３２ｇ、１０３２ｂで反射し、出射側偏光板１０３８
ｒ、１０３８ｇ、１０３８ｂを介してクロスダイクロイックプリズム１０２７に入射する
。クロスダイクロイックプリズム１０２７には、Ｘ字状に交差する第１誘電体多層膜１０
２７ａおよび第２誘電体多層膜１０２７ｂが形成されており、一方の第１誘電体多層膜１
０２７ａは赤色光Ｒを反射し、他方の第２誘電体多層膜１０２７ｂは青色光Ｂを反射する
。従って、３色の光は、クロスダイクロイックプリズム１０２７において合成され、投射
光学系１０２９に出射される。そして、投射光学系１０２９は、クロスダイクロイックプ
リズム１０２７で合成されたカラーの像光を、所望の倍率でスクリーン（図示せず。）に
投射する。
【００７０】
（他の投射型表示装置）
なお、投射型表示装置については、光源部として、各色の光を出射するＬＥＤ光源等を
用い、かかるＬＥＤ光源から出射された色光を各々、別の電気光学装置（液晶装置）に供
給するように構成してもよい。
【００７１】
（他の電子機器）
本発明を適用した電気光学装置１００については、上記の電子機器の他にも、携帯電話
機、情報携帯端末（ＰＤＡ：Personal Digital Assistants）、デジタルカメラ、液晶テ
レビ、カーナビゲーション装置、テレビ電話、ＰＯＳ端末、タッチパネルを備えた機器等
の電子機器において直視型表示装置として用いてもよい。
【符号の説明】
【００７２】
３・・ホルダー、７・・ヒートシンク、８・・見切り部材、４０・・電気光学パネル、４
０ａ・・表示領域、４０ｅ・・電気光学パネルの一方面、４０ｆ・・電気光学パネルの他
方面、５１・・第１基板、５２・・第２基板、５７・・防塵ガラス、７０・・放熱グリス
層、７１・・第１熱伝導部材、７２・・第２熱伝導部材、７３、７４・・第３熱伝導部材
、４５０・・電気光学層、１００・・電気光学装置、１０００・・投射型表示装置、１０
２１・・光源部、１０２９・・投射光学系
【図１】
2015197576.tif 000003
【図２】
2015197576.tif 000004
【図３】
2015197576.tif 000005
【図４】
2015197576.tif 000006
【図６】
2015197576.tif 000007
【図７】
2015197576.tif 000008
【図８】
2015197576.tif 000009
【図５】
2015197576.tif 000010